(57)【要約】【課題】排気弁が回転しても排気弁および蓋本体の互いの模様のバランスを保つことができる排水設備用蓋を提供する。【解決手段】蓋１０は蓋本体１３および排気弁１４を備えている。蓋本体１３は、軸孔および排気孔が形成された中央部と、第１の模様１３Ｔが設けられた環状部１３Ａとを有する。排気弁１４は、前記軸孔にスライド可能に挿通された軸部と、前記軸部の上方に位置し、第２の模様１４Ｔが設けられた弁体部１４Ａとを有する。第１の模様１３Ｔは、平面視において所定角度毎の周期性を有している。前記軸孔の内周面には前記所定角度毎に凹部が形成され、前記軸部の外周面には前記所定角度毎に凸部が形成されている。【選択図】図６
2018025027.tif 000002
【特許請求の範囲】
【請求項１】
排気孔が形成された中央部と、平面視において前記中央部の周囲を囲む環状部と、前記中央部または前記環状部に設けられた上下方向に延びる縦壁と、を有する蓋本体と、
前記中央部に載置されて前記排気孔を覆う弁体部と、前記弁体部から下方に延び、前記縦壁に対し上下方向および周方向に摺動可能な摺動部と、を有する排気弁と、
を備え、
前記蓋本体の前記環状部の上面には、第１の模様が設けられ、
前記排気弁の前記弁体部の上面には、第２の模様が設けられ、
前記第１の模様および前記第２の模様のうち少なくとも一方は、平面視において所定角度毎の周期性を有しており、
前記蓋本体の前記縦壁および前記排気弁の前記摺動部のいずれか一方には、前記所定角度毎に凹部が形成され、他方には前記所定角度毎に凸部が形成されている、排水設備用蓋。
【請求項２】
前記蓋本体の前記中央部には、前記排気孔よりも中心側に位置する軸孔が形成され、
前記縦壁は、前記軸孔の内周面からなり、
前記排気弁の前記摺動部は、前記軸孔に挿通された軸部からなっている、請求項１に記載の排水設備用蓋。
【請求項３】
前記第１の模様および前記第２の模様は、いずれも平面視において所定角度毎の周期性を有している、請求項１または２に記載の排水設備用蓋。
【請求項４】
前記第１の模様および前記第２の模様のいずれか一方は、平面視において前記所定角度毎の周期性を有しており、他方は、平面視において前記所定角度毎の周期性を有していない、請求項１または２に記載の排水設備用蓋。
【請求項５】
前記第１の模様および前記第２の模様は、凹凸模様である、請求項１〜４のいずれか一つに記載の排水設備用蓋。
【請求項６】
前記所定角度は３０度である、請求項１〜５のいずれか一つに記載の排水設備用蓋。
【発明の詳細な説明】
【技術分野】
【０００１】
本発明は、排水設備に取り付けられ、排水設備の内部圧力が高くなると開く排気弁を備えた排水設備用蓋に関する。
【背景技術】
【０００２】
従来から、例えば、ます、マンホール、雨水貯留槽などの排水設備に、内部圧力が高くなると浮上する排気弁を備えた蓋を設けることが知られている（例えば、特許文献１参照）。このような浮上式の排気弁を備えた蓋によれば、排水設備の内部圧力が高くなったときに、排気弁が浮上し、排気孔が開くことによって圧力を開放することができる。これにより、排水設備の内部圧力が高くなることを防ぐことができ、内部圧力を所定圧力以下に調整することができる。そのため、逆流の発生や排水設備の破損等を未然に防止することができる。
【０００３】
特許文献１には、浮上式の排気弁を備えたマンホールの蓋が記載されている。この蓋は、軸孔および排気孔が形成された蓋本体と、軸孔に摺動可能に挿通された軸部を有する排気弁とを有している。排気弁は排気孔の上方に配置され、排気孔を覆っている。特許文献１に記載された蓋では、マンホールの内部圧力が高くなるとその内部圧力によって排気弁が上方に押し上げられ、排気孔が開放される。
【先行技術文献】
【特許文献】
【０００４】
【特許文献１】実公昭５９−３４６１７号公報
【発明の概要】
【発明が解決しようとする課題】
【０００５】
ところで、蓋の表面には、文字、図形、記号、色彩、表面に表れた形状等（以下、特に断らない限り、それらを総称して「模様」と言う）が施されることがある。例えば、図１１（ａ）に示すように、排気弁１０１を備えたマンホールの蓋において、排気弁１０１および蓋本体１０２の表面に、模様が付される場合がある。図１１（ａ）に示す例では、排気弁１０１および蓋本体１０２の両方に、凹凸模様が設けられている。排気弁１０１は、他の凸部よりも周方向の長さが長い凸部１０１Ａを有している。蓋本体１０２も、他の凸部よりも周方向の長さが長い凸部１０２Ａを有している。なお、周方向の長さが長い凸部１０１Ａ、１０２Ａには、例えば、注意事項、蓋の製造業者、排水設備の管理団体の名称等を表す文字が付される。
【０００６】
前記蓋では、排気弁１０１の軸部が蓋本体１０２の軸孔に摺動可能に挿通されており、外部から排気弁１０１に回転力が加わったときに、排気弁１０１が蓋本体１０２に対して回転してしまう場合がある。しかし、排気弁１０１が回転すると、例えば図１１（ｂ）に示すように、排気弁１０１の模様と蓋本体１０２の模様との互いの位置がずれてしまう。図１１（ａ）に示す状態では、排気弁１０１の凸部１０１Ａは蓋本体１０２の凸部１０２Ａに対し周方向に揃った位置にあるが、図１１（ｂ）に示す状態では、凸部１０１Ａは凸部１０２Ａから約９０度ずれた位置に移動している。このように、従来は、排気弁１０１が回転すると、排気弁１０１および蓋本体１０２の互いの模様のバランスが崩れてしまうという課題があった。
【０００７】
本発明はかかる点に鑑みてなされたものであり、その目的は、排気弁が回転しても排気弁および蓋本体の互いの模様のバランスを保つことができる排水設備用蓋を提供することである。
【課題を解決するための手段】
【０００８】
本発明に係る排水設備用蓋は、蓋本体と排気弁とを備える。前記蓋本体は、排気孔が形成された中央部と、平面視において前記中央部の周囲を囲む環状部と、前記中央部または前記環状部に設けられた上下方向に延びる縦壁と、を有する。前記排気弁は、前記中央部に載置されて前記排気孔を覆う弁体部と、前記弁体部から下方に延び、前記縦壁に対し上下方向および周方向に摺動可能な摺動部と、を有する。前記蓋本体の前記環状部の上面には、第１の模様が設けられている。前記排気弁の前記弁体部の上面には、第２の模様が設けられている。前記第１の模様および前記第２の模様のうち少なくとも一方は、平面視において所定角度毎の周期性を有している。前記蓋本体の前記縦壁および前記排気弁の前記摺動部のいずれか一方には、前記所定角度毎に凹部が形成され、他方には前記所定角度毎に凸部が形成されている。
【０００９】
上記排水設備用蓋によれば、蓋本体の縦壁および排気弁の摺動部に形成された凹部と凸部とが係合するので、排気弁が外部から回転力を受けて回転した場合、凸部は凹部から外れるが、他の凹部に係合したところで回転が止まる。ここで、凹部および凸部は所定周期毎に形成されている。そのため、排気弁が回転したとしても、その回転角度は当該所定角度の倍数となる。すなわち、前記所定角度をθ、ｎを自然数とすると、排気弁の回転角度はｎ×θとなる。ここで、蓋本体の環状部の上面に設けられた第１の模様と、排気弁の弁体部の上面に設けられた第２の模様とのうち少なくとも一方は、前記所定角度θ毎の周期性を有している。よって、第１の模様および第２の模様の少なくとも一方は、ｎ×θだけ回転しても、回転前後の模様が変わらない。したがって、上記排水設備用蓋によれば、排気弁が回転しても排気弁および蓋本体の互いの模様のバランスを保つことができる。
【００１０】
本発明の好ましい一態様によれば、前記蓋本体の前記中央部には、前記排気孔よりも中心側に位置する軸孔が形成されている。前記縦壁は、前記軸孔の内周面からなっている。前記排気弁の前記摺動部は、前記軸孔に挿通された軸部からなっている。
【００１１】
上記態様によれば、軸孔は排気孔とは別であるので、軸孔および排気孔を、互いの影響を受けずに自由に設計することができる。そのため、軸孔を、排気弁の軸部を上下方向および周方向にガイドしやすい形態に容易に形成することができる。また、排気孔を、排水設備の内部圧力を逃がしやすい形態に容易に形成することができる。排気孔は軸孔よりも径方向の外側に位置しているので、排気孔の開口面積を確保しやすい。
【００１２】
本発明の好ましい他の一態様によれば、前記第１の模様および前記第２の模様は、いずれも平面視において所定角度毎の周期性を有している。
【００１３】
上記態様によれば、排気弁の回転前後において、第１の模様および第２の模様の双方に変わりがない。よって、見る方向に拘わらず、排気弁および蓋本体の互いの模様のバランスを保つことができる。
【００１４】
本発明の好ましい他の一態様によれば、前記第１の模様および前記第２の模様のいずれか一方は、平面視において前記所定角度毎の周期性を有しており、他方は、平面視において前記所定角度毎の周期性を有していない。
【００１５】
上記態様によれば、排気弁が回転したときの互いの模様のバランスを維持しながら、蓋本体の環状部および排気弁の弁体部のいずれか一方に、前記所定角度毎の周期性を有さない模様を設けることができる。よって、蓋本体の環状部および排気弁の弁体部のいずれか一方の模様の設計自由度を高めることができる。
【００１６】
本発明の好ましい他の一態様によれば、前記第１の模様および前記第２の模様は、凹凸模様である。
【００１７】
凹凸模様は、スリップを防止する機能と、凹部に沿って水を流すことができるという排水機能を有する。上記態様によれば、蓋本体の環状部および排気弁の弁体部のスリップ防止機能および排水性を高めることができる。よって、排水設備用蓋のスリップ防止機能および排水性を高めることができる。
【００１８】
本発明の好ましい他の一態様によれば、前記所定角度は３０度である。
【００１９】
上記態様によれば、排気弁に小さな回転力が加わったときに排気弁の回転を好適に抑制することができると共に、排気弁に大きな回転力が加わったときに排気弁を容易に回転させることができる。
【発明の効果】
【００２０】
本発明によれば、排気弁が回転しても排気弁および蓋本体の互いの模様のバランスを保つことができる排水設備用蓋を提供することができる。
【図面の簡単な説明】
【００２１】
【図１】雨水設備の側面図である。
【図２】雨水設備の平面図である。
【図３】蓋および点検筒の断面図である。
【図４】蓋本体の平面図である。
【図５】蓋の平面図である。
【図６】蓋の斜視図である。
【図７】図３のＶＩＩ−ＶＩＩ線断面図である。
【図８】排気弁が開いているときの蓋および点検筒の断面図である。
【図９】図５の蓋の排気弁が３０度回転したときの平面図である。
【図１０】他の実施形態に係る蓋の平面図である。
【図１１】（ａ）は従来の蓋の平面図であり、（ｂ）は当該蓋の排気弁が回転したときの平面図である。
【発明を実施するための形態】
【００２２】
以下、本発明の実施の一形態について説明する。図１は、排水設備の一例としての雨水設備１の側面図である。図２は雨水設備１の平面図である。本実施形態に係る雨水設備１は、地中に埋設されたものである。ただし、雨水設備１は地中に埋設されたものに限らず、その一部または全部が地上に設置されていてもよい。
【００２３】
雨水設備１は、第１配管２１と、第１配管２１に接続されたます２０と、ます２０に接続された第２配管４と、第２配管４に接続された雨水貯留槽３と、雨水貯留槽３に接続された第３配管６とを備えている。第３配管６は側溝６０に接続されている。雨水貯留槽３は、槽本体２および点検筒５を有している。第１配管２１は、ます２０に向けて雨水を導く配管である。第２配管４は、ます２０から排出される雨水を雨水貯留槽３に導く配管である。第３配管６は、雨水貯留槽３から側溝６０に向けて雨水を導く配管である。
【００２４】
ます２０の上部には点検口１１が形成されている。雨水貯留槽３の点検筒５の上部にも点検口１１が形成されている。点検口１１は上向きに開口している。ます２０の点検口１１および雨水貯留槽３の点検筒５の点検口１１には、本実施形態に係る排水設備用蓋（以下、単に蓋という）１０が設けられている。なお、蓋１０は、ます２０の点検口１１および雨水貯留槽３の点検筒５の点検口１１のいずれか一方のみに設けられ、他方には圧力開放機能を有さない蓋が設けられていてもよい。
【００２５】
次に、蓋１０の詳細について説明する。ここでは、雨水貯留槽３の点検筒５の点検口１１に設けられた蓋１０について説明する。図３に示すように、蓋１０は、点検口１１に固定された蓋枠１２と、シール材１７を介して蓋枠１２に嵌め込まれた蓋本体１３と、蓋本体１３に載置された排気弁１４とを備えている。
【００２６】
図４は蓋本体１３の平面図である。蓋本体１３は、軸孔１３ｃおよび排気孔１３ｂが形成された中央部１３Ｄと、平面視において中央部１３Ｄの周囲を囲む環状部１３Ａとを有している。環状部１３Ａは、平面視において環状に形成されている。中央部１３Ｄは、平面視において円形状に形成されている。中央部１３Ｄは、環状部１３Ａよりも径方向の内側に配置された筒状部１３Ｂと、筒状部１３Ｂと環状部１３Ａとをつなぐ架け渡し部１３Ｃとを有している。架け渡し部１３Ｃは、径方向に延びる棒状に形成されている。架け渡し部１３Ｃの本数は特に限定されないが、複数であることが好ましい。ここでは、架け渡し部１３Ｃは４本設けられている。
【００２７】
排気孔１３ｂは、環状部１３Ａの径方向の内側に形成されている。ここでは、４つの排気孔１３ｂが形成されている。ただし、排気孔１３ｂの数は４に限定されない。排気孔１３ｂの数は１〜３であってもよく、５以上であってもよい。排気孔１３ｂは、環状部１３Ａと筒状部１３Ｂと架け渡し部１３Ｃとによって仕切られている。軸孔１３ｃは筒状部１３Ｂに形成されている。筒状部１３Ｂの内周面は、上下方向に延びる縦壁を構成している。
【００２８】
図３に示すように、中央部１３Ｄは環状部１３Ａから凹んでいる。中央部１３Ｄの上には、排気弁１４が載置される。中央部１３Ｄは、排気弁１４が嵌め込まれる凹部を形成している。排気弁１４が蓋本体１３の上に載っているときに、環状部１３Ａの上面と中央部１３Ｄの上面とは、同じ高さに配置される。排気弁１４が蓋本体１３の上に載っているときに、環状部１３Ａの上面と排気弁１４の上面とは実質的に面一となる。中央部１３Ｄの周縁には、中心側に行くにつれて下方へ向かうように傾斜した傾斜面１３ｅが形成されている。環状部１３Ａの外周面には、シール材１７が取り付けられている。
【００２９】
蓋枠１２は点検筒５に固定されている。蓋枠１２は、例えば点検筒５に接着されていてもよい。蓋枠１２は、点検筒５に接着された接着部を有していてもよい。蓋枠１２を点検筒５に固定する構成は何ら限定されない。蓋枠１２は、蓋本体１３を支持する支持部１２ａを有している。ここでは支持部１２ａは、蓋本体１３の外周部の下面を支持する平坦面によって構成されている。
【００３０】
排気弁１４は、蓋本体１３の軸孔１３ｃにスライド可能に挿通された軸部１４Ｂと、軸部１４Ｂの上方に位置し、中央部１３Ｄに載置されて排気孔１３ｂを覆う弁体部１４Ａと、軸部１４Ｂの下端部に固定された弁ストッパ１４Ｃとを有している。排気弁１４の一部は排気孔１３ｂの上方に位置している。軸部１４Ｂは弁体部１４Ａから下方に延びている。軸部１４Ｂは、蓋本体１３の筒状部１３Ｂの内周面に対し、上下方向および周方向に摺動可能である。
【００３１】
図５は蓋１０の平面図であり、図６は蓋１０の斜視図である。図５に示すように平面視において、弁体部１４Ａは円形に形成されている。平面視において、弁体部１４Ａの周囲は蓋本体１３の環状部１３Ａに囲まれている。図３に示すように、弁体部１４Ａの側面は、下方に行くほど中心側に向かうように傾斜している。弁体部１４Ａの側面には、シール材１９が設けられている。
【００３２】
弁ストッパ１４Ｃは、軸部１４Ｂにおける筒状部１３Ｂよりも下方の部分に固定されている。弁ストッパ１４Ｃの径方向の外端は、筒状部１３Ｂの軸孔１３ｃの内周面よりも、径方向の外側に位置している。平面視において、筒状部１３Ｂと弁ストッパ１４Ｃとは部分的に重なっている。そのため、排気弁１４が蓋本体１３に対して上方に移動すると、弁ストッパ１４Ｃと筒状部１３Ｂとが当接し、排気弁１４の上方への移動が規制される。
【００３３】
蓋枠１２、蓋本体１３、および排気弁１４の材料は、何ら限定されない。例えば、鉄などの金属であってもよく、塩化ビニルなどの合成樹脂であってもよい。
【００３４】
蓋本体１３の環状部１３Ａの上面には、第１の模様１３Ｔが設けられている。排気弁１４の弁体部１４Ａの上面には、第２の模様１４Ｔが設けられている。なお、前述したように、ここで言う「模様」とは、文字、図形、記号、色彩、表面に表れた形状等の総称である。本実施形態では、第１の模様１３Ｔおよび第２の模様１４Ｔは、いずれも表面の凹部または凸部からなる凹凸模様である。
【００３５】
第１の模様１３Ｔおよび第２の模様１４Ｔは、複数の周方向溝３０ｒと、複数の径方向溝３０ｄとを有している。周方向溝３０ｒは同心状に形成され、それぞれ周方向に延びている。ここでは、周方向溝３０ｒは、平面視において環状に形成されている。径方向溝３０ｄは、それぞれ径方向に延びており、隣り合う周方向溝３０ｒ同士をつないでいる。径方向に隣り合う径方向溝３０ｄ同士は、周方向の位置が互いにずれている。ここでは、径方向溝３０ｄは、平面視において径方向に沿って直線状に形成されている。ただし、径方向溝３０ｄは、径方向の内側から外側に向かって延びていればよく、必ずしも径方向に沿って延びている必要はない。径方向溝３０ｄは、径方向に対して傾いた方向に延びていてもよい。径方向溝３０ｄは、平面視において曲線状に形成されていてもよい。
【００３６】
第１の模様１３Ｔおよび第２の模様１４Ｔのうち少なくとも一方は、平面視において所定角度毎の周期性を有している。本実施形態では、第１の模様１３Ｔが３０度毎の周期性を有しており、第２の模様１４Ｔは３０度毎の周期性を有していない。第１の模様１３Ｔが３０度毎の周期性を有するとは、ｎを自然数としたときに、第１の模様１３Ｔをｎ×３０度回転させたとしても、回転前後の模様の見え方に変化がないことをいう。ここでは、第１の模様１３Ｔは、３０度ピッチで周方向に配列された複数の凸部によって形成されている。
【００３７】
図７は、図３のＶＩＩ−ＶＩＩ線断面図である。図７に示すように、軸孔１３ｃの内周面には３０度毎に凹部３５が形成されている。軸部１４Ｂの外周面には、３０度毎に凸部３６が形成されている。これら凹部３５と凸部３６とは係合している。ただし、これら凹部３５および凸部３６は、軸部１４Ｂが軸孔１３ｃ内で摺動可能なように係合している。すなわち、軸部１４Ｂおよび軸孔１３ｃは、軸部１４Ｂに加わる回転力（トルク）が所定値よりも小さい場合には、凹部３５および凸部３６の係合により、軸部１４Ｂが軸孔１３ｃ内で回転しないように構成されている。一方、軸部１４Ｂおよび軸孔１３ｃは、軸部１４Ｂに加わる回転力が所定値以上の場合には、凸部３６が凹部３５（当該凸部３６が係合していた凹部３５）から外れ、軸部１４Ｂが軸孔１３ｃ内で回転するように構成されている。
【００３８】
以上が蓋１０の構成である。説明は省略するが、ます２０の点検口１１に設けられる蓋１０の構成も同様である。蓋１０は、雨水設備１の内部圧力が高くなったときにその圧力を開放する機能を有する。次に、蓋１０の圧力開放動作について説明する。
【００３９】
雨水貯留槽３の内部圧力（空気の圧力）が高くなると、蓋１０に対して、下方から上方へ向けて圧力が加わる。圧力が所定圧力以上になると、図８に示すように、排気弁１４が上記圧力によって浮上する。すると、排気弁１４によって塞がれていた排気孔１３ｂ（図４参照）が開放される。これにより、雨水貯留槽３の内部空気の一部が排気孔１３ｂを通じて外部に逃がされ、雨水貯留槽３の内部圧力が低下する。よって、雨水貯留槽３の内部圧力が高くなることが防止される。なお、排気弁１４は弁ストッパ１４Ｃを備えているので、蓋本体１３から外れてしまうことが防止される。雨水貯留槽３の内部圧力が所定圧力未満になると、排気弁１４は自重によって降下し、蓋本体１３の上に載置される。すると、排気弁１４によって排気孔１３ｂが塞がれ、雨水貯留槽３は密閉される。なお、雨水貯留槽３の内部圧力が再度高くなると、同様の動作が繰り返される。これにより、雨水貯留槽３の内部圧力が所定圧力未満に調節される。
【００４０】
前述したように、排気弁１４に大きな回転力が加わると、軸部１４Ｂが軸孔１３ｃ内で摺動し、排気弁１４が回転する。しかし、軸孔１３ｃの内周面には凹部３５が形成され、軸部１４Ｂの外周面には凸部３６が形成されているので、排気弁１４が回転することによって凸部３６が凹部３５から外れたとしても、その凸部３６が他の凹部３５と係合した状態で排気弁１４の回転が止まる。軸部１４Ｂおよび軸孔１３ｃは、回転後も凸部３６がいずれかの凹部３５内に位置するように係合する。本実施形態では、軸孔１３ｃの凹部３５および軸部１４Ｂの凸部３６はいずれも３０度毎に形成されている。そのため、排気弁１４は、３０度の倍数の角度だけ回転する。所定角度をθ（＝３０度）、自然数をｎとすると、排気弁１４はｎ×θだけ回転する。
【００４１】
図９は、図５に示す排気弁１４が反時計回りの方向に３０度回転したときの状態を表している。排気弁１４が３０度回転したとしても、蓋本体１３の第２の模様１４Ｔは３０度毎の周期性を有しているので、３０度回転後の蓋１０（図９参照）をＰ０の方から見たときの第１の模様１３Ｔおよび第２の模様１４Ｔの見え方は、回転前の蓋１０（図５参照）をＰ１の方から見たときの第１の模様１３Ｔおよび第２の模様１４Ｔの見え方と変わらない。すなわち、第１の模様１３Ｔおよび第２の模様１４Ｔの互いのバランスは保たれる。また、第１の模様１３Ｔの径方向溝３０ｄと第２の模様１４Ｔの径方向溝３０ｄとが、周方向に関して揃った位置に配置されることを防ぐことができる。そのため、蓋１０の排水性能は維持される。
【００４２】
以上のように、本実施形態に係る蓋１０によれば、雨水設備１の内部圧力が高まると、排気弁１４がその内部圧力によって上方に持ち上げられる。これにより、排気孔１３ｂが開かれ、雨水設備１の内部圧力が高くなることを防止することができる。
【００４３】
また、本実施形態に係る蓋１０によれば、軸孔１３ｃの内周面および軸部１４Ｂの外周面に形成された凹部３５と凸部３６とが係合しているので、軸部１４Ｂは軸孔１３ｃにより、回転方向に関して抵抗力を受ける。そのため、排気弁１４に加わる回転力が小さいときには、排気弁１４の回転は防止される。一方、排気弁１４に加わる回転力が大きいときには、排気弁１４は回転する。軸部１４Ｂは必ずしも剛性の高い部分ではないため、排気弁１４に大きな回転力が加わった場合、軸部１４Ｂが軸孔１３ｃ内で回転不能な場合、軸部１４Ｂが破断してしまうおそれがある。しかし、本実施形態に係る蓋１０では、排気弁１４に大きな回転力が加わった場合には、排気弁１４が回転するので、軸部１４Ｂの破断を防ぐことができる。このように排気弁１４は回転するが、その回転角度はｎ×θとなる。ここで、蓋本体１３の環状部１３Ａの上面に設けられた第１の模様１３Ｔは角度θの周期性を備えているので、排気弁１４がｎ×θだけ回転しても、第１の模様１３Ｔに対する第２の模様１４Ｔの相対的な位置関係は変わらない。したがって、本実施形態に係る蓋１０によれば、排気弁１４が回転しても排気弁１４および蓋本体１３の互いの模様のバランスを保つことができる。
【００４４】
蓋本体１３の軸孔１３ｃは排気孔１３ｂと一体化されていてもよい（すなわち、排気孔１３ｂが軸孔１３ｃを兼用していてもよい）が、本実施形態では、軸孔１３ｃと排気孔１３ｂとは別々に形成されている。そのため、軸孔１３ｃおよび排気孔１３ｂを、互いの影響を受けずに自由に設計することができる。よって、軸孔１３ｃを、排気弁１４の軸部１４Ｂを上下方向および周方向にガイドしやすい形態に容易に形成することができる。また、排気孔１３ｂを、雨水設備１の内部圧力を逃がしやすい形態に容易に形成することができる。さらに、排気孔１３ｂは軸孔１３ｃよりも径方向の外側に位置しているので、排気孔１３ｂの開口面積を十分に確保することができる。よって、排気弁１４が開いたときに、雨水設備１の内部圧力を短時間のうちに逃がすことができる。
【００４５】
本実施形態に係る蓋１０によれば、第１の模様１３Ｔは角度θの周期性を有しているが、第２の模様１４Ｔは角度θの周期性を有していない。そのため、第２の模様１４Ｔの設計自由度を高めることができる。排気弁１４に対し、制約の少ない比較的自由な模様を施すことができる。なお、第２の模様１４Ｔが角度θの周期性を有し、第１の模様１３Ｔが角度θの周期性を有していなくてもよい。この場合であっても、同様の効果を得ることができる。
【００４６】
本実施形態では、第１の模様１３Ｔおよび第２の模様１４Ｔのいずれか一方が角度θの周期性を有し、他方が角度θの周期性を有していないが、例えば図１０に示すように、第１の模様１３Ｔおよび第２の模様１４Ｔの両方が角度θの周期性を有していてもよい。第１の模様１３Ｔおよび第２の模様１４Ｔの両方が角度θの周期性を有している場合、排気弁１４の回転前後において、第１の模様１３Ｔおよび第２の模様１４Ｔの両方に変わりがない。そのため、見る方向に拘わらず、排気弁１４および蓋本体１３の互いの模様のバランスを保つことができる。
【００４７】
第１の模様１３Ｔおよび第２の模様１４Ｔの具体的構成は特に限定されないが、本実施形態では、いずれも凹凸模様である。凹凸模様は、スリップを防止する機能と、凹部に沿って水を流すことができるという排水機能を有する。よって、本実施形態によれば、蓋本体１３の環状部１３Ａおよび排気弁１４の弁体部１４Ａのスリップ防止機能と排水性を高めることができる。したがって、降雨時などにおいて、蓋１０上で滑りにくくなる。
【００４８】
また、本実施形態では、第１の模様１３Ｔおよび第２の模様１４Ｔは、複数の周方向溝３０ｒと複数の径方向溝３０ｄとを有しており、径方向に隣り合う径方向溝３０ｄの周方向の位置は互いにずれている。よって、蓋１０の排水性を更に高めることができる。なお、上述の通り、排気弁１４が回転しても、第１の模様１３Ｔおよび第２の模様１４Ｔの互いのバランスは変わらないので、蓋１０の排水性は維持される。
【００４９】
ところで、所定角度θが小さいと、小さな回転力でも排気弁１４は回転しやすくなる傾向があり、所定角度θが大きいと、大きな回転力を受けても排気弁１４は回転しにくくなる傾向がある。所定角度θの値は何ら限定される訳ではないが、本実施形態では３０度である。本実施形態によれば、前述の効果を得ながら、外部から加わる回転力が小さいときには排気弁１４の回転を抑制することができ、上記回転力が大きいときには排気弁１４を容易に回転させることができる。よって、例えば歩行者が排気弁１４を踏んだときに滑ってしまうことを好適に防止できると共に、排気弁１４に大きな回転力が加わったときに軸部１４Ｂが破断してしまうことを好適に防止することができる。
【００５０】
以上、本発明の実施の一形態について説明したが、本発明の実施の形態が前記形態に限られないことは勿論である。本発明は、他にも種々の形態にて実施することができる。次に、他の実施形態について簡単に説明する。
【００５１】
前記実施形態に係る蓋１０は、雨水貯留槽３の点検筒５またはます１０に設けられたものである。しかし、本発明に係る蓋の適用対象は、雨水貯留槽３およびます１０に限定されない。本発明に係る蓋は、任意の排水設備に適用可能である。
【００５２】
前記実施形態では、蓋１０は地表面と同じ高さに設置されている。しかし、蓋１０の設置高さは何ら限定されない。蓋１０は、地上に設置された点検筒等に設けられていてもよく、地下に設置されていてもよい。蓋１０は、地表よりも高い位置に配置されていてもよく、地表よりも低い位置に配置されていてもよい。
【００５３】
蓋本体１３の架け渡し部１３Ｃの形状は棒状に限られない。架け渡し部１３Ｃの形状として、環状部１３Ａと筒状部１３Ｂとをつなぐことのできる任意の形状を採用することができる。
【００５４】
本実施形態では、蓋本体１３の中央部１３Ｄは筒状部１３Ｂおよび架け渡し部１３Ｃによって構成されているが、中央部１３Ｄの構成は特に限定されない。中央部１３Ｄとして、軸孔１３ｃおよび排気孔１３ｂが形成されかつ蓋本体１３の環状部１３Ａに囲まれる任意の構成を採用することができる。
【００５５】
前述したように、第１の模様１３Ｔおよび第２の模様１４Ｔは凹凸模様に限定されない。第１の模様１３Ｔおよび第２の模様１４Ｔは、一方が凹凸模様であり、他方が非凹凸模様であってもよい。
【符号の説明】
【００５６】
１      排水設備
１０    蓋
１１    点検口
１２    蓋枠
１３    蓋本体
１３Ａ  環状部
１３Ｂ  筒状部
１３Ｃ  架け渡し部
１３Ｄ  中央部
１３Ｔ  第１の模様
１３ｂ  排気孔
１３ｃ  軸孔
１４    排気弁
１４Ａ  弁体部
１４Ｂ  軸部
１４Ｃ  弁ストッパ
１４Ｔ  第２の模様
３５    凹部
３６    凸部
θ      所定角度
【図１】
2018025027.tif 000003
【図２】
2018025027.tif 000004
【図３】
2018025027.tif 000005
【図４】
2018025027.tif 000006
【図５】
2018025027.tif 000007
【図６】
2018025027.tif 000008
【図７】
2018025027.tif 000009
【図８】
2018025027.tif 000010
【図９】
2018025027.tif 000011
【図１０】
2018025027.tif 000012
【図１１】
2018025027.tif 000013